(57)【要約】【課題】少ない部品構成で多様なサイズの書籍に適合させることができ、迅速かつ容易に装着することができるブックカバーの提供を目的とする。【解決手段】ブックカバーは、書籍の表紙部の面積に対応する矩形カバー部と、矩形カバー部から表紙部の縦方向に延出して形成され、表紙部の縦方向長さを越えた位置で表紙部の側に折り返し可能な第１余剰部と、矩形カバー部から表紙部の横方向に延出して形成され、表紙部の横方向長さを越えた位置で第１余剰部を含む両端を表紙部の側に折り返し可能な第２余剰部と、矩形カバー部の下端部に備えられ、表紙部の下端部を矩形カバー部との間に挟持する挟持部と、第１余剰部を矩形カバー部の側に折り返し、かつ第２余剰部を折り返された第１余剰部の側に折り返した状態を保持する保持手段とを有する。【選択図】図１
2019188633.tif 000002
【特許請求の範囲】
【請求項１】
所定サイズの書籍の表紙部の面積に対応する矩形カバー部と、
前記矩形カバー部から前記表紙部の縦方向に延出して形成され、前記表紙部の縦方向長さを越えた位置で前記表紙部の側に折り返し可能な第１余剰部と、
前記矩形カバー部から前記表紙部の横方向に延出して形成され、前記表紙部の横方向長さを越えた位置で前記第１余剰部を含む両端を前記表紙部の側に折り返し可能な第２余剰部と、
前記矩形カバー部の下端部に備えられ、前記表紙部の下端部を前記矩形カバー部との間に挟持する挟持部と、
前記第１余剰部を前記矩形カバー部の側に折り返し、かつ前記第２余剰部を前記折り返された第１余剰部の側に折り返した状態を保持する保持手段と、
を有することを特徴とするブックカバー。
【請求項２】
請求項１に記載のブックカバーにおいて、
前記保持手段は、前記矩形カバー部の下端部から前記矩形カバー部と前記第１余剰部の正面側を経て前記第２余剰部の背面側に回されて前記表紙部を位置決めする係止体と、前記第２余剰部に設けられ、前記矩形カバー部と前記第１余剰部の正面側を経て前記第２余剰部の背面側に回された前記係止体を係止する係止部とからなることを特徴とするブックカバー。
【請求項３】
請求項２に記載のブックカバーにおいて、
前記係止体は、前記第２余剰部の縦方向長さに第１余剰部の縦方向長さを足した長さとほぼ等しい長さを有するバンドで形成され、そのバンドの一端は前記第２余剰部の側辺の下端部に結合され、そのバンドの他端に係止具を有するものであり、
前記係止部は、前記第２余剰部の側辺の上端部に前記第２余剰部の側辺を挟み込み可能に形成され、前記矩形カバー部と前記第１余剰部の正面側を経て前記第２余剰部の背面側に回された前記バンドの係止具を係止可能とする係止具受けを有するものであることを特徴とするブックカバー。
【請求項４】
請求項３に記載のブックカバーにおいて、
前記矩形カバー部、前記第１余剰部および前記第２余剰部の正面側に、前記矩形カバー部と前記第１余剰部の正面側を経て前記第２余剰部の背面側に回される前記バンドを横方向にずれないように挿通させるバンド留め部が設けられていることを特徴とするブックカバー。
【発明の詳細な説明】
【技術分野】
【０００１】
本発明は、書籍の表紙部を保護するためのブックカバーに関し、特に、多様なサイズの書籍に適合させることができ、迅速かつ容易に装着することが可能なブックカバーに関する。
【背景技術】
【０００２】
書籍の装丁は表表紙と裏表紙と背表紙（これらを合わせて表紙部と言われている。）からなる。この装丁部分は、表表紙と裏表紙に関しては、文庫判サイズ（１０５ｍｍ×１４８ｍｍ）、四六判サイズ（１２７ｍｍ×１８８ｍｍ）、Ａ５判サイズ（１４８ｍｍ×２１０ｍｍ）など多数の規格があり、そのサイズは出版社によっても多少異なっている。また、書籍の厚みによって背表紙の幅寸法が変わるので、同じ規格であっても装丁の横方向の長さが異なる。
【０００３】
そのため、書籍の装丁を保護する（汚れや傷から守る）従来のブックカバーは書籍の規格サイズ別に作られており、たとえば特許文献１に示すようなものが提案されている。
このブックカバーは、カバーの本体シートの裏面の一端側に表紙部の一方部分を挿入するための表紙差込用ポケット部を設け、本体シートの裏面の途中位置に表紙部の他方部分が挿通される表紙挿通用帯部を設け、本体シートの他端側にはその表紙部を越える部分を表紙の裏側へ折り曲げて表紙挿通用帯部に差し込み係止するための折り曲げ用余剰部を設けたもので、厚みの異なる書籍に対応できるようにしたものである。
【０００４】
また、書籍の規格によって縦方向のサイズを調整でき、書籍の厚みが変わっても横方向の調節が可能なものとして、たとえば特許文献２に示すようなものが提案されている。
このブックカバーは、ブックカバーを形成する本体を書籍のサイズにあわせて縦方向と横方向に折り返し、その折り返し部分にマグネットまたは面ファスナーを施すことで、自由にサイズを変更することができる。
【０００５】
ブックカバーを形成する本体を書籍のサイズにあわせて縦方向と横方向に折り返した後、折り返した状態を維持する保持手段が特許文献３に提案されている。
この保持手段は、両端が本体の上下両端に結合された紐で構成され、本体を折り返した後、その紐をブックカバーの表面側に回して、折り返された部分を抱持するようにしたものである。
【先行技術文献】
【特許文献】
【０００６】
【特許文献１】特開２００３−７２２６１号公報
【特許文献２】特開２００４−９８６６５号公報
【特許文献３】特開２０１１−１３６５３３号公報
【発明の概要】
【発明が解決しようとする課題】
【０００７】
特許文献１に開示のブックカバーは、厚みの異なる書籍に使用することはできるが、文庫判サイズ、四六判サイズ、Ａ５サイズ等、サイズの異なる書籍のカバーとして共用することはできない。
このため、ブックカバーを装着したい場合でも、書籍の規格サイズごとに幾種類ものブックカバーを用意する必要がある。
また、ブックカバーを用意する場合は、予め書籍のサイズを調べておかなければならない、といった不都合があった。
【０００８】
また、出版社ごとに書籍の縦横の長さが微妙に異なることが多いので、ぴったり適合するブックカバーを見つけ出すことができない場合がある。
このような場合、大きめのブックカバーを使用せざるを得ず、ブックカバーの上端部が書籍から大きくはみ出した状態になるので、見た目が悪く、カバーが外れ易いといった問題があった。
【０００９】
特許文献２に開示のブックカバーは、本体の折り返し部分にマグネットまたは面ファスナーを施す必要があるので、製造コストが高くなってしまう。また、折り返し部が多く、書籍のサイズに合わせてブックカバー本体のサイズを変更するのに手間がかかってしまう。
【００１０】
特許文献３に開示のブックカバーは、保持手段がブックカバーの表面側に回す紐で構成されているので、そのブックカバーが装着された書籍を携帯している間に、紐が他の物に引っ掛かったり、紐がブックカバーから外れ易いという問題があった。
【００１１】
そこで、本発明は、少ない部品構成で多様なサイズの書籍に適合させることができ、迅速かつ容易に装着することができるブックカバーを提供することを第一の目的とする。
また、書籍を携帯している間に、他の物に引っ掛かったり、ブックカバーから外れたりすることのない保持手段を備えたブックカバーを提供することを第二の目的とする。
【課題を解決するための手段】
【００１２】
上記第一の目的を達成するために、本発明に係るブックカバーは、所定サイズの書籍の表紙部の面積に対応する矩形カバー部と、矩形カバー部から表紙部の縦方向に延出して形成され、表紙部の縦方向長さを越えた位置で表紙部の側に折り返し可能な第１余剰部と、矩形カバー部から表紙部の横方向に延出して形成され、表紙部の横方向長さを越えた位置で第１余剰部を含む両端を表紙部の側に折り返し可能な第２余剰部と、矩形カバー部の下端部に備えられ、表紙部の下端部を矩形カバー部との間に挟持する挟持部と、第１余剰部を矩形カバー部の側に折り返し、かつ第２余剰部を折り返された第１余剰部の側に折り返した状態を維持する保持手段とを有することを特徴とする。(請求項１)
【００１３】
上記第二の目的を達成するために、本発明に係るブックカバーは、前記保持手段が、矩形カバー部の下端部から矩形カバー部と第１余剰部の正面側を経て第２余剰部の背面側に回されて表紙部を保持する係止体と、第２余剰部に設けられ、矩形カバー部と第１余剰部の正面側を経て第２余剰部の背面側に回された係止体を係止する係止部とからなることを特徴とする。(請求項２)
【００１４】
本発明に係るブックカバーは、他の実施態様において、係止体は、第２余剰部の縦方向長さに第１余剰部の縦方向長さを足した長さとほぼ等しい長さを有するバンドで形成され、そのバンドの一端は第２余剰部の側辺の下端部に結合され、そのバンドの他端に係止具を有するものであり、係止部は、第２余剰部の側辺の上端部に第２余剰部の側辺を挟み込み可能に形成され、矩形カバー部と第１余剰部の正面側を経て第２余剰部の背面側に回されたバンドの係止具を係止可能とする係止具受けを有するものであることを特徴とする。(請求項３)
【００１５】
本発明に係るブックカバーは、さらに他の実施態様において、矩形カバー部、第１余剰部および第２余剰部の正面側に、矩形カバー部と第１余剰部の正面側を経て第２余剰部の背面側に回されるバンドを横方向にずれないように挿通させるバンド留め部が設けられていることを特徴とする。(請求項４)
【発明の効果】
【００１６】
請求項１に係る発明は、所定サイズの書籍の表紙部の面積に対応する矩形カバー部に加えて、表紙部の縦方向長さを越えた位置で表紙部の側に折り返し可能な第１余剰部を設けたので、書籍の縦方向長さに合わせて第１余剰部を折り返すことで規格の書籍サイズに合わせて縦方向長さを容易に設定することができる。
また、矩形カバー部の両側に表紙部の横方向長さを越えた位置で第１余剰部を含む両端を表紙部の側に折り返し可能な第２余剰部を設けたので、書籍の横方向長さ、すなわち、表表紙および裏表紙の幅ならびに書籍の厚みに関わらず、書籍のサイズに適合したブックカバーとすることができる。
【００１７】
そして、第１余剰部を表紙部の反対側ではなく、表紙部の側に折り返すようにしたので、ブックカバーの外側に第１余剰部を表紙部の反対側に折り返す場合のようなポケットが形成されないので、ポケットに思わぬ異物などが入り込むことが無い。
【００１８】
また、矩形カバー部の下端部に表紙部の下端部を矩形カバー部との間に挟持する挟持部を備え、かつ第１余剰部を矩形カバー部の側に折り返し、かつ第２余剰部を矩形カバー部と折り返された第１余剰部の側に折り返した状態を維持する保持手段を設けたので、書籍のブックカバーに対する位置決めが容易にできるとともに、ブックカバーの装着を迅速に行なうことができ、さらにブックカバーの脱落を防止することができる。
【００１９】
請求項２に係る発明によれば、書籍がブックカバーにしっかり保持され、係止体は書籍を携行する際に他物に引っ掛かることが無い。
【００２０】
請求項３に記載の発明によれば、書籍に装着したブックカバーを簡単な操作で確実に保持することができる。
【００２１】
請求項４に記載の発明によれば、装着したバンドがブックカバーの横方向にずれたり、外れたりすることを防止することができる。
【図面の簡単な説明】
【００２２】
【図１】本発明の一実施形態に係るブックカバーの正面図である。
【図２】図１のブックカバーの背面図である。
【図３】図１のブックカバーの第１余剰部を矩形カバー部の上側に折り返した状態を示す斜視図である。
【図４】図３のブックカバーに書籍を載置し、位置決めした状態を示す斜視図である。
【図５】図４のブックカバーの第２余剰部を内側に折り返した状態を示す斜視図である。
【図６】図５のブックカバーの係止体であるバンドをブックカバーの正面側（下側）に回し、バンド留め部に挿通した状態を示すブックカバーの正面図である。
【図７】保持手段を構成する係止体と係止部の具体的構成を説明する部分正面図である。
【図８】保持手段の作用を説明する図である。
【発明を実施するための形態】
【００２３】
本発明の好適な実施形態について、添付図面に基づいて説明する。
なお、実施形態は以下に説明され、図示された形態に限定されるものではない。
【００２４】
図１は、展開されたブックカバー１の正面（書籍の表紙部を覆う面）を見た図であり、図２は同ブックカバー１の背面（書籍の表紙部に接触する面）を見た図である。本実施形態に係るブックカバー１は、書籍を保護または包装するためのものであり、カバー部材２によって構成されている。カバー部材２は、書籍の表表紙から背表紙を経て裏表紙にわたる表紙部を覆う部材であり、プラスチックシート、紙、布または皮革などの折り返し可能なシート材からなる。
【００２５】
カバー部材２は、所定サイズの書籍の表紙部の面積に対応する矩形カバー部３と、矩形カバー部３の上側部分に当該書籍の表紙部の縦方向長さを越えて形成された第１余剰部４と、第１余剰部４を含み矩形カバー部３の両側部分に表紙部の横方向長さを越えて形成された第２余剰部５とを有する。
【００２６】
矩形カバー部３は、このブックカバー１を使用可能な書籍のうち最も小さなサイズの書籍（例えば、文庫判サイズ）の表紙部の大きさに対応する領域である。
【００２７】
第１余剰部４には、水平な筋付けにより形成された複数の折り曲げ誘導線Ｌ１,Ｌ２,Ｌ３,・・・が設けられている。矩形カバー部３と第１余剰部４の境界にある折り曲げ誘導線Ｌ１は、このブックカバーを使用可能な書籍のうち最も小さな規格サイズ（文庫サイズの場合、１０５ｍｍ×１４８ｍｍ）の書籍の縦方向長さに対応する高さに位置しており、その上方には、他の規格サイズ（例えば、四六判サイズ、Ａ５判サイズ等）に対応する折り曲げ誘導線Ｌ２、Ｌ３・・・が筋付けされている。
【００２８】
第１余剰部４を折り曲げ誘導線Ｌ１,Ｌ２,Ｌ３,・・・に沿って矩形カバー部３の上面側に折り返す（谷折り）ことで、迅速かつ容易に規格サイズの書籍の縦方向の被覆長さを設定することができる。
各折り曲げ誘導線付近に規格サイズを示す文字または記号などを記載すると、書籍の縦方向の被覆長さの設定が正確かつ、さらに容易になるので好ましい。
【００２９】
本実施形態においては、第１余剰部４に筋付けされた折り曲げ誘導線Ｌ１,Ｌ２,Ｌ３,・・・を設けたが、折り曲げを誘導しうるものであれば、如何なるものであってもよく、例えば、ミシン目や印刷された直線、型で筋押しした線であってもよい。
【００３０】
第２余剰部５は、第１余剰部４を含めてカバー部材２の左右両側において、中心目安線Ｍからブックカバー１を使用可能な書籍の背表紙および表表紙または裏表紙の幅を越えた部分により形成されている。
【００３１】
そして、第２余剰部５は、中心目安線Ｍから書籍の表表紙または裏表紙の幅に対応する位置で、矩形カバー部３と折り返された第１余剰部４の側に折り返すことができる。
【００３２】
矩形カバー部３の左右両側の下辺には、中心目安線Ｍの両側において挟持部６が設けられ、その挟持部６と矩形カバー部３の間に書籍の表表紙および裏表紙の下端部をそれぞれ差し込むことができる隙間が形成されている。挟持部６は、隙間に差し込まれた表表紙および裏表紙が容易に離脱しないように押える挟持力または剛性を有することが望ましい。
【００３３】
図示の例では、挟持部６が１枚の横長のほゞ湾曲台形状の腰の強いシートで形成されているが、形状は任意である。挟持部６が１枚のシートで形成されている場合は、とくにシートが丸隅を有する場合は、挟持部６と矩形カバー部３の間の隙間に表表紙または裏表紙を容易に差し込むことができる。
【００３４】
矩形カバー部３の横方向中央に、縦方向の複数の筋付けにより形成された中心目安線Ｍが設けられている。中心目安線Ｍは書籍の背表紙を被覆する部分であり、書籍の背表紙の幅寸法に応じて中心目安線Ｍの任意の筋付けにおいて折り曲げる（谷折り）ことが可能である。
【００３５】
ブックカバー１には、第１余剰部４を矩形カバー部３の側に折り返し、かつ第２余剰部５を矩形カバー部３と折り返された第１余剰部４の側に折り返した状態を維持する保持手段を有する。
【００３６】
図７は、ブックカバー１の左右両側に設けられている保持手段のうち、ブックカバー１の背面側を見た場合の左側に設けられた保持手段を示している。
この保持手段は、図７に示すように、係止体７と係止部８とで構成することができる。係止体７は、矩形カバー部３の両側の下端部から矩形カバー部３と折り返された第１余剰部４の正面側を通して、折り返された第２余剰部５の上面側(背面側)に回されて表紙部を位置決めする。係止部８は、第２余剰部５の左右両側辺の上端部に設けられ、矩形カバー部３と折り返された第１余剰部４の正面側を通して折り返された第２余剰部５の上面側(背面側)に回された係止体７を係止する。
【００３７】
係止体７は、図示の例では、薄い帯状のバンドで作られ、カバー部材２の縦方向長さと等しい長さを有する。以下、係止体をバンドという。バンド７は、プラスチックテープ、布または皮革などで作ることができる。そして、図７に示すように、バンド７の先端に薄いプラスチック板の中央にバンド７の先端方向に開口するＵ字形の切込みを設けて形成された係止具７ａが備えられている。
【００３８】
係止部８は、矩形のプラスチックシートで形成され、その一辺がカバー部材２の左右端部の縦辺に接合されて、自然状態ではカバー部材２に密着しているが、図１に左側の係止部について例示するように指先で引き起こすことができる。そして、係止部８は、ほぼ中央にバンド７の先端の係止具７ａを差し込んで係止する係止具受け８ａを有する。
【００３９】
こうして、前述のように内側に折り返された第２余剰部５の上側部分５ａを図８(ａ)に示すように少し開けて、裏側に存する係止部８を引き起こした後、第２余剰部５の上側部分５ａを戻して第２余剰部５の下側部分５ｂに重ね合わせるとともに、第２余剰部５の上側部分５ａを係止部８と第２余剰部５の下側部分５ｂの間に挟み込む。このとき、係止部８の係止具受け８ａが上面に露出されている。
したがって、図８（ｂ）に示すように、矩形カバー部３と折り返された第１余剰部４の正面側を通して折り返された第２余剰部５の上面側(背面側)に回されたバンド７先端の係止具７ａを、図８（ｃ）に示すように、係止部８の係止具受け８ａに差し込んで係止することができる。
【００４０】
このようにバンド７の先端を係止部８に係止することにより、ブックカバー１の矩形カバー部３、第１余剰部４およびブックカバー１が互いにぴったり密着した状態で書籍の表表紙及び裏表紙を包持するので、ブックカバー１を書籍にぴったり装着することができる。
【００４１】
図１に示すように、カバー部材２の正面側にカバー部材２の両端部から係止部８の幅とほぼ等しい距離だけ内側に寄った位置にカバー材２の縦方向全長に亘って延びる細長部材９が設けられ、その細長部材９によりカバー部材２の端部方向に開いている溝が形成されていることが望ましい。係止部８の係止具受け８ａに係止具７ａを差し込んだ後、その係止部８の先端を前記溝に挿入することができる。これにより、係止部８が不要に起立することを防ぐことができる。
【００４２】
カバー部材２の正面側には、図１に示すように、縦方向に適宜の間隔をおいて、カバー部材２の全幅に渡って横方向に延びるバンド留め部１０が設けられている。バンド留め部１０は、たとえば帯状のプラスチックシートで形成され、バンド７の幅よりも少し大きい間隔でカバー部材２に縦線に沿って溶着することにより、カバー部材２とバンド留め部１０の間に、溶着部で区切られた複数のバンド通し孔１０ａが形成されている。
したがって、ブックカバー１に書籍を載せ、最後に第２余剰部５を書籍の表表紙または裏表紙側に折り返した後、バンド７の先端(係止具７ａ)をブックカバー１の正面側に回し、その先端７ａを図６に示すように最下側のバンド留め部１０から最上側のバンド留め部１０の直線上に並んでいるバンド通し孔１０ａに通すことができる。
【００４３】
最上側のバンド留め部１０のバンド通し孔１０ａに通されたバンド７の先端は、図８（ｂ）に示されているように、ブックカバー１の正面側から折り返された第２余剰部５の上面側にやや引っ張り気味に移動され、バンド７の先端の係止具７ａを下向きに押して、係止具７ａの先端を第２余剰部５の上面側に露出されている係止部８の係止具受け８ａに差し込むと、引っ張られたバンド７が戻る力で係止具７ａ(バンド７)が係止部８に係止される。
したがって、バンド７は全長が緊張された状態で保持されるので、ブックカバー１が書籍Ｂに密着した状態で装着される。
また、バンド７をバンド留め部１０に通すことにより、ブックカバー１の正面側に位置するバンド７が横方向にずれることが防止され、携帯中にバンド７が他物に引っ掛かるとも防止される。
【００４４】
上には、各バンド留め部１０が一列ずつ設けられている場合について説明したが、図１,６に示すように、各バンド留め部１０を２列１０1，１０2ずつ近接して設けてもよい。このように２列ずつ設ける場合は、装着される書籍の幅の関係でバンド７が巻回される位置が変わっても、いずれか一方のバンド留め部１０1または１０2のバンド通し孔に通すことができるので、バンド７がブックカバー１の正面で蛇行して外観を損なうことを回避することができる。
また、バンド留め部１０は、複数のバンド通し孔１０ａを有する１本の帯状部材で形成されているものに代えて、１つのバンド通し孔１０ａを有する短い部材をカバー部材２に横線に沿って溶着したものでも良い。
【００４５】
続いて、上記ブックカバー１の使用方法を説明する。ブックカバー１の概略的な装着手順は、次の通りである。
（ア）ブックカバー１をその背面を上向きにして広げる。
（イ）書籍の下辺を矩形カバー部３の下辺に位置合わせして、第１余剰部４の折り返し位置を決める。
（ウ）第１余剰部４を前記折り返し位置で矩形カバー部３側に折り返す。
（エ）書籍をブックカバー１の所定位置に載せて、背表紙を中心目安線Ｍと合致させるとともに、書籍の表表紙及び裏表紙の下辺を挟持部に挟み込む。
（オ）第２余剰部５を矩形カバー部３側に折り返す。
（カ）左右のバンド７をブックカバー１正面のバンド留め部１０に通し、バンド先端を第２余剰部５の背面側に回して係止部８に係止する。
【００４６】
上記装着手順をさらに詳しく説明する。
ブックカバー１を図２に示すように展開し、背面を上向きにした状態で、第１余剰部４を、図３に湾曲矢印で示すように、矩形カバー部３の下辺から装着対象書籍Ｂの縦方向長さに対応する位置にある折り曲げ誘導線Ｌ１に沿って矩形カバー部３の上面側に折り返して（谷折り）、書籍の縦方向の被覆長さを設定する。
【００４７】
次に、図４に示すように、装着対象書籍Ｂをその書籍の背表紙が図１の中心目安線Ｍと合致するようにブックカバー１の上面(背面)に載せ、その書籍Ｂの表表紙９および裏表紙１０の縦方向一端（下端）をそれぞれ挟持部６に差し込む。
【００４８】
次に、図４において書籍Ｂの表表紙１１および裏表紙１２の幅方向端部を越えて延びている第２余剰部５を、図５に示すように、表表紙１１および裏表紙１２の側に折り曲げて（谷折り）重ねる。このとき、第２余剰部５とともに表表紙１１および裏表紙１２の上面側に移動したバンド７は、その後の係止作業の邪魔にならない位置に置く。たとえば、表表紙１１および背表紙１２から遠ざかる方向に伸ばしておく。
【００４９】
次に、バンド７を矩形カバー部３の下方を通して矩形カバー部３の挟持部６と反対側の位置に出るまで延ばし、その延出された部分を図８（ｂ）に示すように第２余剰部５の端部に重ね、図８（ｃ）に示すようにその端部に設けてある係止部８の係止具受け８ａにバンド７の先端の係止具７ａを差し込んでバンド７を係止する。
【００５０】
これにより、ブックカバー１が装着された書籍Ｂは、表表紙と裏表紙の上端部が挟持部６に挟持され、表表紙と裏表紙の側部が矩形カバー部３と、第１余剰部４および第２余剰部５の間に挟持される。ブックカバー１の下端部からブックカバー１の正面に接触して縦に延長し、ブックカバー１の上端部で背面に折り返されたバンド７が、係止部８により係止される。また、ブックカバー１の正面側を延長するバンド７は、バンド留め部１０により横方向にずれないように保持される。したがって、ブックカバー１は安定した状態で書籍Ｂに装着され、書籍Ｂを保護・包装する。
【００５１】
また、第１余剰部４および第２余剰部５はブックカバー１の背面側に折り曲げられるから、ブックカバー１の表面側にポケットが形成されないので、ブックカバー１を装着した書籍Ｂをバッグ内で移動する際または携行する間に、ポケット内に思わぬ物が入り込んだり、ごみ等が入り込んだりすることが無いから、安心である。
【００５２】
［他の実施の態様］
上記の実施形態において、保持手段はバンド７の係止具７ａと係止部８の係止具受け８ａとで分離可能に結合する構造を有するものである。分離可能な結合構造は、バンド７の先端と係止部８とに設けられる面ファスナーであってもよいし、粘着剤であってもよい。
また、バンド７は平帯状または丸帯状のゴム紐で作られてもよい。この場合、ゴム紐の一端を第２余剰部５の下端部に固定し、他端を第２余剰部５の上端部に着脱可能に結合してもよいし、他端も第２余剰部５の上端部に固定してもよい。
【００５３】
カバー部材２を透明なプラスチックシート製とすれば、ブックカバー１を装着したまま、書籍の装丁を透視することができる。
【００５４】
上記説明においては、書籍Ｂの表表紙１１および裏表紙１２が便宜的に左と右に配置されたが、左右いずれにあっても構わない。
【符号の説明】
【００５５】
１    ブックカバー
２    カバー部材
３    矩形カバー部
４    第１余剰部
５    第２余剰部
６    挟持部
７，８  保持手段
７    係止体(バンド)
７ａ  係止具
８    係止部
８ａ  係止具受け
１０  バンド留め部
Ｍ    中心目安線
Ｌ１,Ｌ２,Ｌ３・・・折り曲げ誘導線
【図１】
2019188633.tif 000003
【図２】
2019188633.tif 000004
【図３】
2019188633.tif 000005
【図４】
2019188633.tif 000006
【図５】
2019188633.tif 000007
【図６】
2019188633.tif 000008
【図７】
2019188633.tif 000009
【図８】
2019188633.tif 000010